(57)【要約】【課題】栓蓋を開放する必要がないときに、栓本体に対して栓蓋がロックされるように構成した口栓を提供する。【解決手段】  開口部１６を有する栓本体１２と、前記栓本体１２の外周上部に対して第１ヒンジ部２４を介してヒンジ連結されており、かつ前記開口部１６と連通する注出口３０を有する栓蓋２６と、前記第１ヒンジ部２４による連結箇所以外の場所で栓蓋２６と栓周壁１８との間に亘って形成された操作アーム４０とを備える。  前記操作アーム４０は、栓周壁１８の下部から、第２ヒンジ部３８を介して、当該第２ヒンジ部３８を中心とする上方と側外方との間での回転が可能に下向きに突出している。  この操作アーム４０の突出方向の一部と前記栓周壁１８の対応箇所との一方に、係合凹部ａ１を、また他方に前記係合凹部ａ１内へ嵌合可能な係合凸部ａ２をそれぞれ設けて、前記栓蓋２６を閉蓋位置にロックするロック手段Ａを形成する。【選択図】図１
2019011087.tif 000002
【特許請求の範囲】
【請求項１】
開口部(１６)を有する頂板(１４)の外周から栓周壁(１８)を垂下させてなる栓本体(１２)と、
前記頂板(１４)の上面を開閉可能に覆うように、前記栓本体(１２)の外周上部に対して第１ヒンジ部(２４)を介してヒンジ連結されており、かつ前記開口部(１６)と連通する、当該開口部(１６)より小径の注出口(３０)を有する栓蓋(２６)と、
前記第１ヒンジ部(２４)による連結箇所以外の場所で栓蓋(２６)と栓周壁(１８)との間に亘って形成された操作アーム(４０)と、
を備え、
前記操作アーム(４０)は、栓周壁(１８)の下部から、第２ヒンジ部(３８)を介して、当該第２ヒンジ部(３８)を中心とする上方と側外方との間での回転が可能に上向きに突出しており、
この操作アーム(４０)の突出方向の一部と前記栓周壁(１８)の対応箇所との一方に、係合凹部(ａ１)を、また他方に前記係合凹部(ａ１)内へ嵌合可能な係合凸部(ａ２)をそれぞれ設けて、前記係合凹部(ａ１)内への係合凸部(ａ２)の嵌合により前記栓蓋(２６)を閉蓋位置にロックするロック手段(Ａ)を形成し、
前記操作アーム(４０)を前記側外方へ回動することにより前記係合凸部(ａ２)が係合凹部(ａ１)内から離脱され、栓蓋(２６)のロック状態が解除されるように設けた口栓。
【請求項２】
前記栓本体(１２)の栓周壁(１８)の筒径方向の一方側に、第１ヒンジ部(２４)を、当該筒径方向の他方側に第２ヒンジ部(３８)をそれぞれ配置し、かつ前記栓蓋(２６)のロック状態で操作アーム(４０)の上端である先端(Ｅ２)側に操作アーム摘み部(４２)を形成するとともに、前記栓蓋(２６)の外周部の操作アーム寄りに栓蓋摘み部(３６)を形成したことを特徴とする、請求項１に記載の口栓。
【請求項３】
前記係合凸部(ａ２)を、前記栓蓋(２６)から前記筒径方向外方へ突出させた、前記栓蓋摘み部(３６)を兼ねる突片とするとともに、
前記係合凹部(ａ１)を、前記操作アーム摘み部(４２)の下側に位置させて、前記操作アーム(４０)の少なくとも栓蓋(２６)と対向する箇所に形成したことを特徴とする、請求項２に記載の口栓。
【請求項４】
前記操作アーム摘み部(４２)は、前記栓蓋(２６)の上面よりも上方へ突出しているとともに、操作アーム摘み部(４２)から第１ヒンジ部(２４)側へ爪部(４４)が突設され、この爪部(４４)が栓蓋(２６)の上面に係止されたことを特徴とする、請求項３に記載の口栓。
【請求項５】
前記栓本体(１２)と栓蓋(２６)と操作アーム(４０)とは、第１ヒンジ部(２４)及び第２ヒンジ部(３８)を介して一体に成形されたことを特徴とする、請求項１から請求項４の何れかに記載の口栓。
【請求項６】
胴部(４)から口頸部(６)を起立する容器体(２)と、
請求項１から請求項５の何れかに記載され、前記栓周壁(１８)を前記口頸部(６)の上半部(６ｂ)に嵌合させた口栓(１０)と、
前記口頸部(６)の下半部(６ａ)の外面に下端部を嵌合した有頂筒状のキャップ(５０)と、
を備え、
前記口頸部(６)の下半部(６ａ)を口頸部(６)の上半部(６ｂ)に比べて大外径部とするとともに、上方から見て前記第１ヒンジ部(２４)と第２ヒンジ部(３８)及び操作アーム(４０)とが前記下半部(６ａ)の輪郭内に収まるように形成し、かつ前記係合凹部(ａ１)内へ係合凸部(ａ２)が嵌入されていない非ロック状態で前記キャップ(５０)を口頸部(６)の下半部(６ａ)を嵌合させようとすると、操作アーム(４０)の先端(Ｅ２)側がキャップ(５０)の下端に当たって嵌合できないように構成されたことを特徴とする、口栓付き容器。
【発明の詳細な説明】
【技術分野】
【０００１】
本発明は、容器用の口栓（栓装置）及び口栓付き容器に関する。
【背景技術】
【０００２】
この種の栓装置として、大径の開口部を有する頂板の外周から栓周壁を垂下させてなる栓本体と、前記頂板の上面を開閉可能に覆うように、前記栓本体の外周上部に対してヒンジ部を介してヒンジ連結されており、かつ前記開口部と連通する小径の注出口を有する栓蓋とからなるものが知られている（特許文献１）。
【先行技術文献】
【特許文献】
【０００３】
【特許文献１】特開平１０−１７００２
【発明の概要】
【発明が解決しようとする課題】
【０００４】
特許文献１の栓装置は、通常の使用時には、小径の吐出口から内容物を取り出すともに、内容物を使い切り、新たな内容物を充填する際には、栓蓋を開蓋して、前記開口部から内容物を充填できるようにしているので、便利であるという特長を有する。
本発明は、こうした先行技術の特長を活かしつつ、より優れたものに発展させることを意図するものであり、具体的な本発明の目的は、
第1に、栓蓋を開放する必要がないときに、栓本体に対して栓蓋がロックされるように構成した口栓を提供することであり、
第2に、前記ロックを栓本体及び栓蓋の間に亘る操作アームの操作により簡単に解除できる口栓を提供することであり、
第３に、前記操作アームの操作が容易である、口栓付き容器を提供することであり、
第４に、前記操作アーム付きの口栓を、容器体の口頸部にコンパクトに組み込んだ口栓付き容器を提供することである。
【課題を解決するための手段】
【０００５】
第１の手段は、口栓であり、
開口部１６を有する頂板１４の外周から栓周壁１８を垂下させてなる栓本体１２と、
前記頂板１４の上面を開閉可能に覆うように、前記栓本体１２の外周上部に対して第１ヒンジ部２４を介してヒンジ連結されており、かつ前記開口部１６と連通する、当該開口部１６より小径の注出口３０を有する栓蓋２６と、
前記第１ヒンジ部２４による連結箇所以外の場所で栓蓋２６と栓周壁１８との間に亘って形成された操作アーム４０と、
を備え、
前記操作アーム４０は、栓周壁１８の下部から、第２ヒンジ部３８を介して、当該第２ヒンジ部３８を中心とする上方と側外方との間での回転が可能に上向きに突出しており、
この操作アーム４０の突出方向の一部と前記栓周壁１８の対応箇所との一方に、係合凹部ａ１を、また他方に前記係合凹部ａ１内へ嵌合可能な係合凸部ａ２をそれぞれ設けて、前記係合凹部ａ１内への係合凸部ａ２の嵌合により前記栓蓋２６を閉蓋位置にロックするロック手段Ａを形成し、
前記操作アーム４０を前記側外方へ回動することにより前記係合凸部ａ２が係合凹部ａ１内から離脱され、栓蓋２６のロック状態が解除されるように設けている。
【０００６】
本手段では、開口部１６を有する栓本体１２と、注出口３０を有する栓蓋２６とを、第１ヒンジ部２４を介して連結するとともに、栓周壁１８の下部から、第２ヒンジ部３８を介して、当該第２ヒンジ部３８を中心とする上方と側外方との間での回転が可能に上向きに突出された操作アーム４０を設けている。
そして操作アームの突出方向の一部と前記栓周壁１８の対応箇所との一方に、係合凹部ａ１を、また他方に前記係合凹部ａ１内へ嵌合可能な係合凸部ａ２をそれぞれ設けて、前記係合凹部ａ１内への係合凸部ａ２の嵌合により前記栓蓋２６を閉蓋位置にロックするロック手段Ａを形成している。
これにより、栓蓋２６が不意に開放されることを防止できるとともに、例えば内容物の充填作業を行うときには、前記操作アーム４０を前記側外方へ回動することにより、前記係合凸部ａ２が係合凹部ａ１内から離脱され、栓蓋２６のロック状態を解除することができる。
【０００７】
図示例では、操作アーム４０側に係合凹部ａ１を、また栓周壁１８側に係合凸部ａ２を設けているが、これとは逆に操作アーム４０側に係合凸部ａ２を、また栓周壁１８側に係合凹部ａ１を設けても構わない。
なお、「係合凹部」とは、操作アーム又は栓周壁筒を貫通している孔（係合孔）の他に、操作アーム又は栓周壁筒の一方の表面のうち他方に向かい合う部位に凹ませた穴（係合穴）でも良い。
【０００８】
第２の手段は、第１の手段を有し、かつ
前記栓本体１２の栓周壁１８の筒径方向の一方側に、第１ヒンジ部２４を、当該筒径方向の他方側に第２ヒンジ部３８をそれぞれ配置し、かつ前記栓蓋２６のロック状態で操作アーム４０の上端である先端Ｅ２側に操作アーム摘み部４２を形成するとともに、前記栓蓋２６の外周部の操作アーム寄りに栓蓋摘み部３６を形成した。
【０００９】
本手段では、前記栓本体１２の栓周壁１８の径方向（図１の左右方向）の一方側に第１ヒンジ部２４を、他方側に第２ヒンジ部３８をそれぞれ配置することを提案している。そして図１に示す栓蓋２６のロック状態で操作アーム４０の上端である先端Ｅ２側に操作アーム摘み部４２を形成するとともに、前記栓蓋２６の外周部の操作アーム寄りに栓蓋摘み部３６を形成した。これによれば、操作アーム摘み部４２と栓蓋摘み部３６とが相互に接近した位置になるので、操作アーム４０を倒す操作と、栓蓋２６を引き上げる操作とを連続的に行うことができ、使い勝手がよい。
【００１０】
第３の手段は、第２の手段を有し、かつ前記係合凸部ａ２を、前記栓蓋２６から前記筒径方向外方へ突出させた、前記栓蓋摘み部３６を兼ねる突片とするとともに、
前記係合凹部ａ１を、前記操作アーム摘み部４２の下側に位置させて、前記操作アーム４０の少なくとも栓蓋２６と対向する箇所に形成している。
【００１１】
本手段では、前記係合凸部ａ２を、前記栓蓋２６から前記筒径方向外方へ突出させた、前記栓蓋摘み部３６を兼ねる突片としている。栓蓋摘み部３６が係合凸部ａ２を兼ねるので簡易な構成とすることができる。
前記操作アーム摘み部４２の下側に係合凹部ａ１が位置しており、この係合凹部ａ１内に栓蓋摘み部３６である係合凸部ａ２を嵌挿するようにしているから、操作アーム摘み部４２を側外方へ引き出して操作アーム４０を回転させた後に、直ちに栓蓋摘み部３６に指を掛けて栓蓋２６の開蓋作業を行うことができ、操作性がよい。
【００１２】
第４の手段は、第３の手段を有し、かつ
前記操作アーム摘み部４２は、前記栓蓋２６の上面よりも上方へ突出しているとともに、操作アーム摘み部４２から第１ヒンジ部２４側へ爪部４４が突設され、この爪部４４が栓蓋２６の上面に係止されている。
【００１３】
本手段では、前記操作アーム摘み部４２は、前記栓蓋２６の上面よりも上方へ突出しているので、この操作アーム摘み部４２を摘まんで操作アーム４０を回転させることが容易である。また操作アーム摘み部４２から第１ヒンジ部２４側へ爪部４４が突設され、この爪部４４が栓蓋２６の上面に係止されているので、栓蓋２６に対する操作アーム４０の係止力が高まる。
【００１４】
第５の手段は、第１の手段から第４の手段のいずれかを有し、かつ
前記栓本体１２と栓蓋２６と操作アーム４０とは、第１ヒンジ部２４及び第２ヒンジ部３８を介して一体に成形されている。
【００１５】
本手段では、栓本体１２と栓蓋２６とを第１ヒンジ部２４を介して、また操作アーム４０と栓本体１２とを第２ヒンジ部３８を介してそれぞれ一体成形している。これにより、部品数が増えることを回避している。
【００１６】
第６の手段は、口栓付き容器であり、
胴部４から口頸部６を起立する容器体２と、
第１の手段から第５の手段の何れかに記載され、前記栓周壁１８を前記口頸部６の上半部６ｂに嵌合させた口栓１０と、
前記口頸部６の下半部６ａの外面に下端部を嵌合した有頂筒状のキャップ５０と、
を備え、
前記口頸部６の下半部６ａを口頸部６の上半部６ｂに比べて大外径部とするとともに、上方から見て前記第１ヒンジ部２４と第２ヒンジ部３８及び操作アーム４０とが前記下半部６ａの輪郭内に収まるように形成し、かつ前記係合凹部ａ１内へ係合凸部ａ２が嵌入されていない非ロック状態で前記キャップ５０を口頸部６の下半部６ａを嵌合させようとすると、操作アーム４０の先端Ｅ２側がキャップ５０の下端に当たって嵌合できないように構成されている。
【００１７】
本手段では、図１に示す口頸部６の下半部６ａを口頸部６の上半部６ｂに比べて大外径部とするとともに、上方から見て前記第１ヒンジ部２４と第２ヒンジ部３８及び操作アーム４０とが前記下半部６ａの輪郭内に収まるように形成している。そして仮に前記係合凹部ａ１内へ係合凸部ａ２が嵌入されていない非ロック状態で前記キャップ５０を口頸部６の下半部６ａを嵌合させようとすると、操作アーム４０の先端Ｅ２側がキャップ５０の下端に当たって嵌合できないように構成している。これにより、利用者が非ロック状態であることに気付かずにキャップ５０を装着してしまう不都合を回避できる。
【発明の効果】
【００１８】
第１の手段に係る発明によれば、栓蓋２６で頂板１４を開閉可能に設けた栓本体１２の栓周壁１８の下部から、第２ヒンジ部３８を介して上向きに操作アーム４０を突出し、この操作アーム４０の突出方向の一部と栓周壁１８の対応箇所との一方に係合凹部ａ１を、また他方に前記係合凹部ａ１内へ嵌合可能な係合凸部ａ２をそれぞれ設け、前記係合凹部ａ１内への係合凸部ａ２の嵌合により前記栓蓋２６を閉蓋位置にロックしたから、使用時に栓蓋２６が不用意に開くことを防止できる。
第２の手段に係る発明によれば、前記栓本体１２の栓周壁１８の筒径方向の一方側に、第１ヒンジ部２４を、他方側に第２ヒンジ部３８をそれぞれ配置するとともに、前記栓蓋２６のロック状態で操作アーム４０の上端である先端Ｅ２側に操作アーム摘み部４２を形成するとともに、前記栓蓋２６の外周部の操作アーム寄りに栓蓋摘み部３６を形成したから、操作アーム摘み部４２及び栓蓋摘み部３６を相互に近接した位置に配置することができ、従って操作アーム摘み部４２を操作してロック状態を解除した後に、栓蓋摘み部３６を操作して栓蓋２６を開蓋することが容易となる。
第３の手段に係る発明によれば、ロック手段Ａの係合凸部ａ２を、前記栓蓋摘み部３６と兼用させたから構成が簡易となる。
第４の手段に係る発明によれば、前記操作アーム摘み部４２は、前記栓蓋２６の上面よりも上方へ突出しているから、操作アーム摘み部４２を摘まんでロック状態を解除し易いとともに、操作アーム摘み部４２から第１ヒンジ部２４側へ突設された爪部４４を、前記栓蓋２６の上面に係止させたから、ロック状態の維持機能が高まる。
第５の手段に係る発明によれば、栓本体１２と栓蓋２６と操作アーム４０とが第１ヒンジ部２４及び第２ヒンジ部３８を介して一体に成形されているから、部品数を低減することができる。
第６の手段に係る発明によれば、係合凹部ａ１内へ係合凸部ａ２が嵌入されていない非ロック状態で前記キャップ５０を口頸部６の下半部６ａを嵌合させようとすると、操作アーム４０の先端Ｅ２側がキャップ５０の下端に当たって嵌合できないように構成されているから、非ロック状態であることに利用者が気づかないでキャップ５０をする不都合が生じない。
【図面の簡単な説明】
【００１９】
【図１】本発明の第１実施形態に係る口栓付き容器の要部を断面で示す側面図である。
【図２】図１の容器の要部の側面図である。
【図３】図１の容器の要部の正面図である。
【図４】図１の容器の口栓の側方から見た断面図である。
【図５】図４の口栓の展開状態の断面図である。
【図６】図１の容器の作用説明図であり、同図（Ａ）は操作アームを僅かに前方へ引き出した状態を、同図（Ｂ）は操作アームを前下方へ回転させた状態を、同図（Ｃ）は栓蓋が僅かに引き上げられた状態を、同図（Ｄ）は、栓蓋が反転された状態をそれぞれ示している。
【発明を実施するための最良の形態】
【００２０】
図１から図６は、本発明の第１実施形態に係る口栓付き容器を示している。この容器は、容器体２と、口栓１０と、キャップ５０とで形成している。これら各部材は、例えば合成樹脂材で形成することができる。
【００２１】
容器体２は、胴部４から肩部５を介して口頸部６を起立している。図示の肩部５の上面には、環状段部５ａが形成されている。また図示例では、口頸部６の上半部６ｂに比べて口頸部６の下半部６ａを大外径部としている。口頸部６の下半部６ａの外面にネジ部７Ａが形成されており、上半部６ｂの外面には下向き段部７Ｂが周設されている。
【００２２】
口栓１０は、前記口頸部６を閉栓するための部材であり、栓本体１２と栓蓋２６と操作アーム４０とで形成されている。口栓１０は、一体成形品と形成することが好適であるが、そうでないものも本発明の技術的範囲から除外されない。
【００２３】
前記栓本体１２は、中央部に開口部１６を有する環状の頂板１４を有し、この頂板１４の外周部から栓周壁１８を、また頂板１４の内周部から第１シール筒２０をそれぞれ垂設している。
前記頂板１４の後部は第１ヒンジ部２４を介して後述の栓蓋２６の後部に一体的に連結されている。ここで本明細書では、部材相互の相対的な位置関係を示すために、図１の右方を「後」と、同図の左方を「前」というものとし、かつこれらと直交する方向を「右」又は「左」というものとする。
図示例では、前記開口部１６の内周面には、後述の栓筒３２に食い込む係合リブ１６ａが周設されている。また頂板１４の下面には、図４に示す如く、環状の圧接用リブ１５が周設されており、前記口頸部６の上端面に圧接されている。もっともこれらの構造は適宜変更することができる。
前記第１シール筒２０は、前記口頸部６の上半部６ｂの内面に液密に嵌合されている。
また前記頂板１４の上面の適所（図示例では開口部よりの部分）からは第２シール筒２２が起立されている。
【００２４】
前記栓蓋２６は、前記頂板１４の上面を覆うための部材であり、本実施形態では、当該頂板１４の上面に外周部を載置させた蓋盤２８と、蓋盤の中央部に開口された注出口３０の口縁から起立する注出筒３１とを具備する。もっとも注出筒３１は省略しても構わない。
図示の蓋盤２８は、図２に示す如く、下盤部２８ａの上面内側から上盤部２８ｂを隆起させてなり、下盤部２８ａの外周部上面は段差面２９に形成されている。この段差面２９の前部には窪み２９ａが形成されている。また下盤部２８ａの後部後面は前記第１ヒンジ部２４を介して頂板１４の後部に連結されている。蓋盤２８の下面からは、前記注出口３０を囲む栓筒３２が垂下されており、前記頂板１４の開口部１６の内周縁に液密に嵌合させている。
さらに栓筒３２を囲むように、蓋盤２８の裏面にはシール溝３４が周設されており、このシール溝３４内に前記第２シール筒２２が密嵌されている。もっともこれらの構造は省略することができる。
前記蓋盤２８の外周部のうち後述の操作アーム４０の上方に当たる部位（図示例では下盤部２８ａの前部）からは係合凸部ａ２が側外方（図示例では前方）へ突出されている。本実施形態において、係合凸部ａ２は、栓蓋摘み部３６を兼用している。しかしながら、栓蓋摘み部３６を係合凸部ａ２と別個に設けても構わない。
【００２５】
前記操作アーム４０は、前記栓本体１２と栓蓋２６との間に亘って設けられており、後述のロック状態で栓蓋２６を栓本体１２に連係させる役割を有する。操作アーム４０は、図１に示す如く第１ヒンジ部２４と反対側に、すなわち口栓１０の前側に設けることが好適である。
なお、操作アーム４０及び後述の第２ヒンジ部３８と第１ヒンジ部２４とは、上方から見て口頸部６の大外径部である前記下半部６ａの輪郭内に収まるように形成されている。
本実施形態では、操作アーム４０は、栓周壁１８の下部から第２ヒンジ部３８を介して上側へ突出している。操作アームの突出方向の一部には、本実施形態では係合凹部ａ１が形成されており、この係合凹部ａ１内に前述の係合凸部ａ２が嵌入されている。これら係合凹部ａ１及び係合凸部ａ２によって、前記栓蓋を閉蓋位置にロックするロック手段Ａが形成されている。
例えば図３に示すように、係合凹部ａ１は横長の孔（貫通孔）であり、かつ係合凸部ａ２は、横長のリブに形成されている。もっとも、係合凹部ａ１及び係合凸部ａ２の形状は、前記ロック状態を維持できる限り適宜変更できるものとし、横長の孔及び横リブでなくても構わない。また係合凹部ａ１は、貫通孔ではなく、図１の状態での操作アーム４０の後面（栓周壁と向かい合う面）に形成された横穴としても構わない。図示例では、操作アーム４０に係合凹部ａ１を、栓周壁１８に係合凸部ａ２を設けているが、操作アーム４０に係合凸部ａ２を、また栓周壁１８に係合凹部ａ１を設けても構わない。
本実施形態において、操作アーム４０は、栓周壁１８の前面に沿った巾広の垂直板状に形成されており、図３に示すように左右方向の中間部に係合凹部ａ１が形成されている。好適な図示例では、係合凹部ａ１の下端と係合凸部ａ２の下端との間に遊びｇを設けて、操作アーム４０の回転操作を容易にしている。前記係合凸部ａ２は、前述の通り栓蓋摘み部３６を兼ねているので、操作アーム４０を前方に倒した後に当該栓蓋摘み部３６を引き上げ、栓蓋２６を開蓋することができる。なお、係合凸部ａ２と別の場所（例えば図３において操作アーム４０の両側の栓蓋側面部分）に栓蓋摘み部３６を設けても構わない。
操作アーム４０は蓋盤２８の上面より上方へ突出しており、この操作アーム４０の上端（先端Ｅ２）を操作アーム摘み部４２としている。
操作アーム摘み部４２からは、爪部４４を後方へ突出し、この爪部４４を前記栓蓋２６の段差面２９に係止させている。この爪部４４は、適当な係止力が得られるように十分な横幅（例えば操作アーム４０の横幅と同等の幅）を有することが好適である。図示例の爪部４４は、蓋盤２８の上盤部２８ｂ前面付近まで延びており、爪部の後面には当該上盤部２８ｂの前面に対応して凹み４４ａを形成させている。
前記爪部４４の下面には突起部４４ｂを付設し、この突起部４４ｂが前記段差面２９の窪み２９ａとかみ合うように形成している。
【００２６】
キャップ５０は、キャップ周壁５２の上端からキャップ頂壁５４を延設しており、そのキャップ周壁５２の下部を前記口頸部６の下半部６ａに嵌合（図示例では螺合）させている。
前記キャップ周壁５２の下端部は、大内径部５２ａが周設されており、前記環状段部５ａを囲んでいる。
前記キャップ頂壁５４の下面周辺部からは、押下げ筒部５６を垂下しており、その下端で前記蓋盤２８を押下げることにより、押下げ筒部５６の下方に位置する口頸部６の上端面及び頂板１４の下面、並びに、頂板１４の上面及び蓋盤２８下面を、それぞれ密着させている。
キャップ頂壁５４の中央部からは、突起部６０及びこの突起部を囲む嵌合筒部５８が下方へ突設され、嵌合筒部５８が前記注出筒３１内に嵌着されている。
なお、図示例では、キャップ５０ｐの下端部が口頸部６の下半部に嵌合された状態において、図示例ではキャップ周壁５４の内面と操作アーム４０の外面との余白代（マージン）ｍが存在している。これにより、キャップ５０を嵌合する前の段階において、係合凸部ａ２が係合凹部ａ１に適切に嵌合されていない非ロック状態では、操作アーム４０の上端が余白代を超えて外側に突き出していると、キャップ５０の下端が操作アーム４０の上端（先端Ｅ２）側に引っ掛かって嵌合させることができない。従って非ロック状態でキャップ５０を嵌合してしまうという不都合を回避できる。
【００２７】
前記構成において、通常の吐出操作をするときには、図１に示すキャップ５０を外し、容器体２を上下反転させて注出口３０から内容物を注出させればよい。
内容物が残り少なくなって、補充作業をするときには、キャップ５０を外した状態から、図１に示す操作アーム４０の上端の操作アーム摘み部４２を摘まんで、前方へ動かす。これにより、図６（Ａ）に示す如く、第２ヒンジ部３８を中心として操作アーム４０が回転して、爪部４４が栓蓋２６の窪み２９ａから外れるとともに、係合凸部ａ２が係合凹部ａ１内から離脱し、この離脱によって、栓蓋２６のロック状態が解除されるとともに、係合凸部ａ２である栓蓋摘み部３６を摘まむことが可能となる（図６（Ｂ）参照）。
前記栓蓋摘み部３６を摘まんで引き上げると、第１シール筒２０が開口部１６から引き抜かれる（図６（Ｃ）参照）。
さらに栓蓋２６及び操作アーム４０を第１ヒンジ部２４より後方へ反転させると、前記開口部１６が全開される（図６（Ｄ）参照）。
この状態で詰め替え用の新たな内容物を、前記開口部１６を介して容器体２内へ注入すればよい。
なお、内容物の詰め替えの場合だけでなく、一度に大量の内容物を吐出したい場合にも、同じ手順で栓蓋２６を開蓋し、開口部１６から内容物を吐出してもよい。 
【符号の説明】
【００２８】
２…容器体  ４…胴部  ５…肩部  ５ａ…環状段部  
６…口頸部  ６ａ…下半部  ６ｂ…上半部  ７Ａ…ネジ部  ７Ｂ…下向き段部
１０…口栓  １２…栓本体  １４…頂板  １５…圧接用リブ
１６…開口部  １６ａ…係合リブ  １８…栓周壁
１９…当接用リブ
２０…第１シール筒  ２２…第２シール筒  ２４…第１ヒンジ部
２６…栓蓋  ２８…蓋盤  ２８ａ…下盤部  ２８b…上盤部  ２９…段差面
２９ａ…窪み  ３０…注出口  ３１…注出筒
３２…栓筒  ３４…シール溝  
３６…栓蓋摘み部  ３８…第２ヒンジ部
４０…操作アーム  ４２…操作アーム摘み部  
４４…爪部  ４４ａ…凹み  ４４ｂ…突起部
５０…キャップ  ５２…キャップ周壁  ５２ａ…大内径部  ５４…キャップ頂壁
５６…押下げ筒部  ５８…嵌合筒部  ６０…突起部
Ａ…ロック手段  ａ１…係合凹部  ａ２…係合凸部
Ｅ１…基端  Ｅ２…先端  ｇ…遊び  ｍ…マージン
【図１】
2019011087.tif 000003
【図２】
2019011087.tif 000004
【図３】
2019011087.tif 000005
【図４】
2019011087.tif 000006
【図５】
2019011087.tif 000007
【図６】
2019011087.tif 000008